(57)【要約】【課題】刷毛の毛束が容器の底壁面に当たることなく、かつ、複数の刷毛を纏めて容器に保管することができる刷毛保持具を提供する。【解決手段】複数の刷毛４を容器５に保管するための刷毛保持具１であって、容器５の把手５１に着脱自在に取り付けられる幹部材２と、幹部材２の周面から突き出るとともに、先端部が刷毛４の柄４０に設けられた貫通孔４２に引っ掛かることで刷毛４を吊り下げる複数の枝部材３と、を備える。【選択図】図５
2018171298.tif 000002
【特許請求の範囲】
【請求項１】
複数の刷毛を容器に保管するための刷毛保持具であって、
前記容器の把手に着脱自在に取り付けられる幹部材と、
前記幹部材の周面から突き出るとともに、先端部が前記刷毛の柄に設けられた貫通孔に通されることで前記刷毛を吊り下げる複数の枝部材と、を備える刷毛保持具。
【請求項２】
前記幹部材は、前記把手の一部が嵌り込む凹部が周面に設けられている請求項１に記載の刷毛保持具。
【請求項３】
前記幹部材は、前記把手の一部が嵌り込む凹部が頂部に設けられている請求項１又は２に記載の刷毛保持具。
【請求項４】
前記複数の枝部材は、前記幹部材の周面の上下方向において、複数の高さ位置から突き出ている請求項１〜３のいずれかに記載の刷毛保持具。
【請求項５】
前記複数の枝部材は、前記幹部材の周面の周方向において、異なる角度位置から突き出ている請求項１〜４のいずれかに記載の刷毛保持具。
【発明の詳細な説明】
【技術分野】
【０００１】
本発明は、刷毛を容器に保管するのに好適な刷毛保持具に関する。
【背景技術】
【０００２】
従来より、木やプラスチックなどで形成された柄の先端に多数のブラシ毛を束にして取り付けた刷毛が、例えば塗装作業などで広く使用されている。刷毛は、塗装作業中や塗装作業後においてこれを使用しない場合には、毛束を下にした状態で塗料などを収容するための容器内に入れて、保管することが一般的に行われている。
【０００３】
しかし、上述した保管方法では、図９に示すように、刷毛１００は、柄１０１の自重により毛束１０２が容器１１０の底壁面１１１に押し付けられるので、毛束１０２が湾曲してしまい、塗装作業中の即座の使用に支障をきたすおそれがある。また、毛束１０２に曲がり癖が付くと、刷毛１００として使用不能となるため、新たな刷毛に取り替える必要もある。
【０００４】
そこで、特許文献１では、毛束が容器の底壁面に当たることなく刷毛を容器に保管できる刷毛保持具を提供している。
【先行技術文献】
【特許文献】
【０００５】
【特許文献１】特開２０１２−０１１３３６号公報
【発明の概要】
【発明が解決しようとする課題】
【０００６】
しかしながら、特許文献１の刷毛保持具では、複数の刷毛をまとめて容器に保管することしかできず、複数の刷毛を容器に保管するには、その分だけ刷毛保持具が必要になるという課題がある。
【０００７】
本発明は、上記課題に着目してなされたものであり、刷毛の毛束が容器の底壁面に当たることなく、かつ、複数の刷毛を纏めて容器に保管することができる刷毛保持具を提供することを目的とする。
【課題を解決するための手段】
【０００８】
本発明の前記目的は、複数の刷毛を容器に保管するための刷毛保持具であって、前記容器の把手に着脱自在に取り付けられる幹部材と、前記幹部材の周面から突き出るとともに、先端部が前記刷毛の柄に設けられた貫通孔に通されることで前記刷毛を吊り下げる複数の枝部材と、を備える刷毛保持具により達成される。
【０００９】
上記構成の刷毛保持具において、前記幹部材は、前記把手の一部が嵌り込む凹部が周面に設けられていることが好ましい。
【００１０】
上記構成の刷毛保持具において、前記幹部材は、前記把手の一部が嵌り込む凹部が頂部に設けられていることが好ましい。
【００１１】
また、上記構成の刷毛保持具は、前記複数の枝部材は、先端部が前記柄に設けられた貫通孔に引っ掛かることで前記柄と係合することが好ましい。
【００１２】
また、上記構成の刷毛保持具は、前記複数の枝部材は、前記幹部材の上下方向において、複数の高さ位置で周面から突き出ていることが好ましい。
【００１３】
また、上記構成の刷毛保持具は、前記複数の枝部材は、前記幹部材の周方向において、異なる角度位置で周面から突き出ていることが好ましい。
【発明の効果】
【００１４】
本発明に係る刷毛保持具によれば、刷毛の毛束が容器の底壁面に当たることなく、かつ、複数の刷毛を纏めて容器に保管することができる。
【図面の簡単な説明】
【００１５】
【図１】本発明の一実施形態に係る刷毛保持具の正面図である。
【図２】図１の右側面図である。
【図３】図１の平面図である。
【図４】本発明の一実施形態に係る刷毛保持具で複数の刷毛を保持した状態の斜視図である。
【図５】本発明の一実施形態に係る刷毛保持具を用いて複数の刷毛を容器に保管した状態の斜視図である。
【図６】本発明の一実施形態に係る刷毛保持具を用いて複数の刷毛を容器に保管した状態の斜視図であり、容器については断面図で表している。
【図７】本発明の一実施形態に係る刷毛保持具を用いて複数の刷毛を他の容器に保管した状態の斜視図である。
【図８】本発明の一実施形態に係る刷毛保持具を用いて複数の刷毛を他の容器に保管した状態の斜視図である。
【図９】従来、容器に刷毛を保管する方法の一例を示した断面図である。
【発明を実施するための形態】
【００１６】
以下、本発明の実施形態について添付図面を参照して説明する。本発明に係る刷毛保持具は、例えば塗装作業などで使用される複数の刷毛を、塗装作業中や塗装作業後に、塗料などを収容するための容器に纏めて保管するのに好適に用いることができるものである。
【００１７】
刷毛４は、図４〜図６に示すように、柄４０の先端に多数のブラシ毛を結束した毛束４１を取り付けた構成のものであり、本実施形態では、塗装用の刷毛を例にして説明している。柄４０は、木、合成樹脂、金属（例えばアルミニウム）などの材料から形成することができる。毛束４１を構成するブラシ毛は、化学繊維や動物の毛などから形成することができる。塗装用の刷毛４０としては、筋違ブラシ、平ブラシ、目地ブラシなどの様々な刷毛を適用することができる。なお、本発明に係る刷毛保持具の適用範囲は、塗装用の刷毛の保持に限られるものではなく、種々の用途の刷毛の保持に適用することができる。
【００１８】
容器５は、図５及び図６に示すように、上端が開口しかつ内部に塗料などを収容可能な有底筒状の容器本体５０と、容器本体５０の上端開口に架け渡された把手５１と、を備えた構成のものである。把手５１は、金属製や合成樹脂製の容器本体５０の上部の開口周縁に回転可能に取り付けられており、図５や図６の容器５では、把手５１が合成樹脂製である。容器５は、把手５１を回転可能に備えた構成のものであれば、従来から公知の容器（例えば下げ缶など）を用いることができ、図７や図８に示すような、把手５１が細い金属製のものであってもよい。図８の容器５では、把手５１に合成樹脂製の持ち手５２が取り付けられている。また、容器５は、容器本体５０が、図示は省略するが、外容器と、外容器に内装され塗料などを収容する交換自在の内容器とからなる構成のものであってもよい。
【００１９】
図１〜図３は、本発明の一実施形態に係る刷毛保持具１の外観構成を示している。刷毛保持具１は、所定の長さを有する長尺状に形成された幹部材２と、幹部材２の周面から突き出る複数の枝部材３と、を備えている。なお、長尺状とは、一方向における長さが、前記一方向と直交する他の方向における長さよりも十分に長い形状をいう。
【００２０】
幹部材２は、木、合成樹脂、金属、ガラスなどの各種材料から形成することができるが、適度な強度（剛性）を有し、かつ、シンナーや水などに対する耐性を有する材料で形成することが好ましく、例えばポリエチレン、ポリプロピレン、ポリアセタール、ポリアミド、フェノール樹脂、メラミン樹脂、ユリア樹脂などの合成樹脂を例示することができる。
【００２１】
幹部材２は、本実施形態では、丸い棒状に形成されており、その断面視形状は円状であるが、断面視形状は楕円状や多角形状であってもよい。また、幹部材２は、扁平な板状に形成されていてもよい。
【００２２】
幹部材２は、把手５１を真上にした状態の容器本体５０の底壁面５３に下端部を突き当てて起立させた際に、上端部が把手５１の上方に位置するように、その長さが設定されている。なお、幹部材２の長さは、容器５の大きさに応じて、その長さを種々に設定することができる。
【００２３】
幹部材２は、容器５の把手５１に着脱自在に取り付けられる。本実施形態では、幹部材２には、把手５１の一部（長さ方向の中央部）が嵌合可能な凹部２０，２１，２２が設けられており、容器本体５０に対して真上の位置にある把手５１の一部（長さ方向の中央部）を凹部２０，２１，２２に嵌め込んで凹部１０の上下の壁面で挟持することで、幹部材２が把手５１に取り付けられる。このとき、幹部材２の下端部が容器本体５０の底壁面５３に突き当たることで、幹部材２が把手５１及び底壁面５３の間で挟持され、底壁面５３上で起立した状態が維持される。
【００２４】
凹部２０（第１凹部２０）は、図５に示す容器５のように、太い合成樹脂製の把手５１を好適に嵌め込むことが可能なように、幹部材２の周面に設けられ、その寸法（高さ、深さ）や高さ位置が設定されている。
【００２５】
また、凹部２１（第２凹部２１）は、図７に示す容器５のように、細い金属製の把手５１を好適に嵌め込むことが可能なように、幹部材２の周面に設けられ、その形状・寸法（高さ、深さ）や高さ位置が設定されている。本実施形態では、幹部材２の周面の凹部２０（第１凹部２０）よりも上方位置に、凹部２０（第１凹部２０）よりも形状・寸法（高さ、深さ）の小さい凹部２１（第２凹部２１）が設けられている。
【００２６】
一方で、凹部２２（第３凹部２２）は、図８に示す容器５のように、長く大きい把手５１を好適に嵌め込むことが可能なように、幹部材２の頂部に設けられている。なお、図８の容器５では、把手５１が持ち手５２を有しているが、持ち手５２を有していない図５や図７の容器５であっても、把手５１が長くて大きい場合には、凹部２２（第３凹部２２）に把手５１が嵌め込まれる。凹部２２（第３凹部２２）は、図５に示す太い合成樹脂製の把手５１、図７に示す細い金属製の把手５１、図８に示す持ち手５２を有する把手５１など、種々の把手５２を嵌め込むことが可能なように、その形状・寸法（高さ、深さ）が設定されていることが好ましい。
【００２７】
なお、本実施形態では、幹部材２の周面に凹部２０，２１，２２を設け、凹部２０，２１，２２に把手５１の一部を嵌め込ませているが、幹部材２の周面や頂部に一対の板状の凸部（図示せず）を設け、一対の凸部の間の空間に把手５１の一部（長さ方向の中央部）を嵌め込んで一対の凸部で挟持することで、幹部材２を把手５１に着脱自在に取り付けてもよい。
【００２８】
各枝部材３は、幹部材２の周面から略水平方向に延びている。各枝部材３は、幹部材２と公知の成形方法にて一体成形されてもよいし、接着剤などで幹部材２に後付けされていてもよい。各枝部材３は、幹部材２と同じ材料で形成されることが好ましい。
【００２９】
各枝部材３は、本実施形態では、幹部材２よりも径の小さい丸い細棒状に形成されており、その断面視形状は円状であるが、断面視形状は楕円状や多角形状であってもよい。また、各枝部材３は、扁平な板状に形成されていてもよい。
【００３０】
各枝部材３は、先端部にて刷毛４の柄４０と係合することで刷毛４を吊り下げ、下方に落ちないように支持することが可能である。これにより、刷毛４を、毛束４１が容器５の底壁面５３に接触しない状態で保持して、容器５に保管することができる。また、幹部材２に枝部材３が複数設けられていることで、複数の刷毛４を一つの容器５に纏めて効率的に保管することができる。
【００３１】
本実施形態では、各枝部材３は、先端部が柄４０に設けられた断面視円形状の貫通孔４２に通されて引っ掛かることで柄４０と係合し、刷毛４を吊持している。そのため、各枝部材３の太さは、枝部材３が柄４０の貫通孔４２を挿通することが可能な太さに設定されている。なお、この貫通孔４２は、商品展示の際に刷毛４を吊り下げ状態で支持して陳列するために、鉤部材の引っ掛け用として、柄４０の上部に一般的に設けられるものである。また、各枝部材３の太さは、枝部材３を形成する材料にもよるが、一般に市販されている刷毛４を吊り下げた際に各枝部材３が折れたり曲がったりしない適切な強度（剛性）を有する程度の径に設定されている。
【００３２】
各枝部材３の先端部は、「く」の字状あるいは「Ｌ」字状などに折れ曲がっていることが好ましい。各枝部材３の先端部は、略水平方向、斜め上方向又は鉛直上方向に折れ曲がっている。これにより、各枝部材３が貫通孔４２に挿通されて各枝部材３に吊持された刷毛４が各枝部材３から抜け落ち難くなる。なお、各枝部材３を全体的に湾曲した形状に形成することで、先端部が折れ曲がるようにしてもよい。
【００３３】
複数の枝部材３は、幹部材２の上下方向において複数の高さ位置で周面から突き出ていることが好ましい。本実施形態では、幹部材２の周面の上下３段階の高さ位置にそれぞれ２つずつ枝部材３が設けられている。これにより、図４に示すように、長さの長い刷毛４については上段に位置する枝部材３に、長さの短い刷毛４については下段に位置する枝部材３に、それぞれ吊り下げることができ、長さの異なる刷毛４でも、毛束４１が容器５の底壁面５３に接触しない状態で保持することができる。なお、幹部材２の周面の上下の各高さ位置に３つ以上の枝部材３が設けられていてもよいし、周面の上下の各高さ位置に設けられる枝部材３の数が異なっていてもよい。また、幹部材２の周面において、複数の枝部材３が上下方向に螺旋を巻く配列で設けられていてもよい。
【００３４】
最上段に位置する枝部材３は、長さの長い刷毛４に対応すべく、幹部材２の下端から例えば２６ｃｍ〜３０ｃｍの高さを有する位置に設けられることが好ましく、最下段に位置する枝部材３は、長さの短い刷毛４に対応すべく、幹部材２の下端から例えば１８ｃｍ〜２２ｃｍの高さを有する位置に設けられることが好ましい。
【００３５】
また、複数の枝部材３は、幹部材２の周方向において異なる角度位置で周面から突き出ていることが好ましい。つまりは、図３に示すように、平面視において、全ての枝部材３が重ならず、周方向に位置ずれしていることが好ましい。これにより、各枝部材３より刷毛４を取り外す際に、他の枝部材３に保持されている刷毛４が干渉せず邪魔にならないため、刷毛４を各枝部材３から取り外し易くなる。
【００３６】
次に、本実施形態の刷毛保持具１の使用方法について説明する。この刷毛保持具１を用いて刷毛４を図５に示す容器５に保管する際には、容器５の把手５１を容器本体５０の真上まで回転させた状態で、幹部材２の凹部２０（第１凹部２０）に把手５１の一部（長さ方向の中央部）を嵌め込むとともに、幹部材２の下端部を容器本体５０の底壁面５３に突き当てる。これにより、幹部材２を容器本体５０の底壁面５３上で起立させる。なお、刷毛４を図７に示す容器５に保管する際には、幹部材２の凹部２１（第２凹部２１）に把手５１の一部（長さ方向の中央部）を嵌め込み、刷毛４を図８に示す容器５に保管する際には、幹部材２の凹部２２（第３凹部２２）に把手５１の一部（長さ方向の中央部、図８では持ち手５２）を嵌め込む。
【００３７】
そして、刷毛４の柄４０を、貫通孔４２に各枝部材３を挿通して引っ掛けることで、各枝部材３に係合させて、各枝部材３にて刷毛４を保持させる。なお、このとき、刷毛４の毛束４０が容器５の底壁面５３に接触しないように、刷毛４の長さに応じて枝部材３を選択して刷毛４を保持させる。また、刷毛４が複数ある場合には、それぞれ適切な枝部材３を選択して刷毛４を保持させる。
【００３８】
以上、本発明に係る刷毛保持具１は、容器５内で刷毛４を毛束４１が底壁面５３に当接しない吊り下げ状態で保管できるため、毛束４１が湾曲して塗装作業に支障を来すことがない。また、毛束４１に次第に曲がり癖がついて使用不能となることもなく、刷毛４を好適に保管することができる。また、本発明に係る刷毛保持具１は、複数の刷毛４を纏めて容器５内に保管することができるので、効率的である。さらに、本発明に係る刷毛保持具１は、簡易な形態であるため、低コストで製造することができる。
【００３９】
また、いわゆるマスカーと呼ばれるテープ付き養生シート材で、刷毛保持具１により複数の刷毛４を保持した容器５の全体を包むことで、容器５ごとまとめて乾燥を防止した状態で保管することができる。
【００４０】
以上、本発明の一実施形態に係る刷毛保持具１について説明したが、本発明は上記実施形態に限定されるものではなく、その趣旨を逸脱しない限りにおいて、種々の変更が可能である。
【００４１】
例えば、上記実施形態の刷毛保持具１においては、幹部材２に３つの凹部２０，２１，２２が設けられているが、必ずしも３つの凹部２０，２１，２２が設けられている必要はなく、いずれか１つ又は２つの凹部だけが設けられていてもよい。
【００４２】
また、上記実施形態の刷毛保持具１においては、凹部２１（第２凹部２１）が幹部材２の周面で凹部２０（第１凹部２０）の真上に位置しているが、周面の反対側で上方に位置していてもよい。また、必ずしも凹部２１（第２凹部２１）が凹部２０（第１凹部２０）よりも上方に位置する必要はなく、下方に位置していてもよいし、同じ高さに位置していてもよい。
【００４３】
また、上記実施形態の刷毛保持具１においては、各枝部材３が幹部材２の周面から略水平方向に延びているが、斜め上方向に延びていてもよい。
【００４４】
また、上記実施形態の刷毛保持具１においては、各枝部材３の先端部が「く」の字状あるいは「Ｌ」字状などに折れ曲がっているが、折れ曲がっていなくてもよい。各枝部材３の先端部を折り曲げない場合には、各枝部材３に刷毛４が各枝部材３から抜け落ちるのを規制する突起（ストッパー）を設けてもよい。
【００４５】
また、上記実施形態の刷毛保持具１においては、複数の枝部材３が、幹部材２の上下方向の複数の高さ位置において、周面から突き出ているが、任意の一の高さ位置においてのみ、周面から突き出ていてもよい。
【００４６】
また、上記実施形態の刷毛保持具１においては、複数の枝部材３が、幹部材２の周方向において異なる角度位置で周面から突き出ていて、平面視において、全ての枝部材３が重ならず、周方向に位置ずれしている。しかしながら、必ずしも全ての枝部材３が周方向に位置ずれしている必要はなく、複数の枝部材３の一部又は全部が、幹部材２の周方向において同じ角度位置で周面から突き出ていて、平面視で周方向に位置ずれしていなくてもよい。
【００４７】
また、上記実施形態の刷毛保持具１において、各枝部材３の先端部を２以上に枝分かれさせることで、１つの枝部材３により２以上の刷毛４を保持できるようにしてもよい。
【符号の説明】
【００４８】
１    刷毛保持具
２    幹部材
２０  凹部
３    枝部材
４    刷毛
４０  柄
４１  毛束
４２  貫通孔
５    容器
５０  容器本体
５１  把手
５２  底壁面
【図１】
2018171298.tif 000003
【図２】
2018171298.tif 000004
【図３】
2018171298.tif 000005
【図４】
2018171298.tif 000006
【図５】
2018171298.tif 000007
【図６】
2018171298.tif 000008
【図７】
2018171298.tif 000009
【図８】
2018171298.tif 000010
【図９】
2018171298.tif 000011
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
複数の刷毛を容器に保管するための刷毛保持具であって、
前記容器の把手に着脱自在に取り付けられる幹部材と、
前記幹部材の周面から突き出るとともに、先端部が前記刷毛の柄に設けられた貫通孔に通されることで前記刷毛を吊り下げる複数の枝部材と、を備え、
前記幹部材は、その下端部が前記容器の底壁面に突き当たることで前記把手と前記底壁面とで挟持される刷毛保持具。
【請求項２】
前記幹部材は、前記把手の一部が嵌り込む凹部が周面に設けられている請求項１に記載の刷毛保持具。
【請求項３】
前記幹部材は、前記把手の一部が嵌り込む凹部が頂部に設けられている請求項１又は２に記載の刷毛保持具。
【請求項４】
前記複数の枝部材は、前記幹部材の周面の上下方向において、複数の高さ位置から突き出ている請求項１〜３のいずれかに記載の刷毛保持具。
【請求項５】
前記複数の枝部材は、前記幹部材の周面の周方向において、異なる角度位置から突き出ている請求項１〜４のいずれかに記載の刷毛保持具。
【手続補正２】
【補正対象書類名】明細書
【補正対象項目名】００２３
【補正方法】変更
【補正の内容】
【００２３】
幹部材２は、容器５の把手５１に着脱自在に取り付けられる。本実施形態では、幹部材２には、把手５１の一部（長さ方向の中央部）が嵌合可能な凹部２０，２１，２２が設けられており、容器本体５０に対して真上の位置にある把手５１の一部（長さ方向の中央部）を凹部２０，２１，２２に嵌め込んで凹部２０，２１，２２の２つの壁面で挟持することで、幹部材２が把手５１に取り付けられる。このとき、幹部材２の下端部が容器本体５０の底壁面５３に突き当たることで、幹部材２が把手５１及び底壁面５３の間で挟持され、底壁面５３上で起立した状態が維持される。